(57)【要約】  【構成】  蓋１０は、その上面１２ａに凹凸を有する蓋体１２を含む。蓋体１２の上面１２ａには、インクジェットプリンタ（３０）を利用して、印刷層１４が形成される。また、印刷層１４の上面には、撥水性を有する被覆層１６が形成される。このような印刷層１４および印刷層１６の厚さは、蓋体１２の上面１２ａの凹凸の高さと比較して薄いものであるので、上面１２ａの凹凸形状はそのまま残る。また、撥水性を有する被覆層１６が、印刷層１４への水の浸入を防ぐ。  【効果】  上面に形成される凹凸による滑り止め機能を保持しつつ、フルカラーで多彩なデザインを表現でき、かつデザインの色落ちを防止できる。【選択図】  図２
2010168731.tif 000002
【特許請求の範囲】
【請求項１】
上面に滑り止め用の凹凸が形成される蓋体、
前記蓋体の上面に形成される印刷層、および
前記印刷層の上面に形成されるかつ撥水性を有する被覆層を備える、桝またはマンホール用の蓋。
【請求項２】
蓋体、
前記蓋体の上面に形成される印刷層、
前記印刷層の上面に形成されるかつ撥水性を有する被覆層、および
前記被覆層の上面に配される滑り止め用の骨材を備える、桝またはマンホール用の蓋。
【請求項３】
前記印刷層の下面には、撥水性を有する下地層がさらに形成される、請求項１または２記載の桝またはマンホール用の蓋。
【発明の詳細な説明】
【技術分野】
【０００１】
この発明は桝またはマンホール用の蓋に関し、特にたとえば、上面に滑り止め用の凹凸が形成される、桝またはマンホール用の蓋に関する。
【背景技術】
【０００２】
従来、桝やマンホール等に用いられる蓋の上面には、滑り止め用の凹凸が形成されている。これらの蓋は、自治体によって設置されることが多いため、その凹凸を利用して、蓋の上面に各自治体指定のデザインが表現されている場合がある。また、蓋の上面の凹部に塗料を塗布して、そのデザインがカラー化されているものもある。
【０００３】
また、これらの蓋が持つ広報性に着目して、これらの蓋を広告媒体として利用する技術も提案されている。たとえば、特許文献１の技術では、マンホール蓋の外面に所定サイズの凹部を設け、ネオン管装置およびホログラム画像などの広告媒体を、その凹部に着脱自在に嵌込み固定している。そして、広告媒体の上に設けた透明板によって、広告媒体を路面荷重や衝撃から保護している。
【０００４】
また、特許文献２の技術では、蓋本体と表層部との２層構造を採用しており、表層部は、蓋体に着脱可能に支持され、その表面が所要の図画で化粧されている。たとえば、表層部は、写真または印刷等で描かれた図画である化粧面を有し、その図画は、セラミック等の耐摩性素材で保護されている。
【先行技術文献】
【特許文献】
【０００５】
【特許文献１】特開２００２−１８８１６９号公報  [Ｅ０２Ｄ  ２９／１４]
【特許文献２】特開平６−１５８６７４号公報  [Ｅ０２Ｄ  ２９／１４]
【発明の概要】
【発明が解決しようとする課題】
【０００６】
蓋の上面に形成される凹凸を利用してデザインを表現する場合には、デザイン毎に専用の金型が必要であるため、金型製作に要する期間が必要となるばかりでなく、少量の蓋の製造では採算が合わず、高コストとなる。また、上面の凹凸で表現できるデザインは、かなり限定される上、凹部に塗料を流し込んで色付けを行っても、雨などによって色落ちしてしまうことが多い。さらに、デザインによって凹凸形状が変化するため、適切に滑り止め機能を発揮できない恐れがあり、その上を歩行者などが通行すると危険である。
【０００７】
また、特許文献１の技術では、蓋の上面が透明板によって覆われているが、そこには凹凸が形成されていないので、滑り止め機能を全く有さない。また、蓋に広告媒体を嵌め込み、その上に透明板を設けているので、部品数が多くなり、製造に手間およびコストがかかる。
【０００８】
さらに、特許文献２の技術でも、特許文献１の技術と同様に、部品数が多くなり、製造に手間およびコストがかかる。また、特許文献２には、レリーフ層の表面にセラミックまたは適当な樹脂層を形成させて耐スリップ性を付与することが望ましい、との記載はあるが、その具体的態様は何ら記載されていないため、特許文献２の技術による蓋が、滑り止め機能を有するかどうかは不明である。
【０００９】
それゆえに、この発明の主たる目的は、新規な、桝またはマンホール用の蓋を提供することである。
【００１０】
この発明の他の目的は、滑り止め機能を保持しつつ、多彩なデザインへの対応が可能であり、かつ色落ちが生じ難い、桝またはマンホール用の蓋を提供することである。
【００１１】
この発明のさらに他の目的は、製造コストを低減できる、桝またはマンホール用の蓋を提供することである。
【課題を解決するための手段】
【００１２】
この発明は、上記の課題を解決するために、以下の構成を採用した。なお、括弧内の参照符号および補足説明などは、本発明の理解を助けるために後述する実施の形態との対応関係を示したものであって、この発明を何ら限定するものではない。
【００１３】
第１の発明は、上面に滑り止め用の凹凸が形成される蓋体、蓋体の上面に形成される印刷層、および印刷層の上面に形成されるかつ撥水性を有する被覆層を備える、桝またはマンホール用の蓋である。
【００１４】
第１の発明では、蓋（１０）は、桝およびマンホール等の地下構造物（５０）に用いられる蓋であって、その上面（１２ａ）に滑り止め用の凹凸が形成される蓋体（１２）を含む。蓋体の上面には、インクジェットプリンタ（３０）を利用して印刷層（１４）が形成され、印刷層の上面には、撥水性を有する被覆層（１６）が形成される。印刷層および被覆層の厚さは、蓋体上面に形成される凹凸の高さと比較して薄く、蓋体上面の凹凸形状は、ほぼそのまま残る。
【００１５】
第１の発明によれば、蓋体上面に形成される凹凸による滑り止め機能を保持しつつ、多彩なデザインを表現できる。また、デザイン毎に専用の金型を製作する必要が無いので、短期間で製造できると共に、その製造コストも低減できる。
【００１６】
さらに、撥水性を有する被覆層を形成することによって、雨などの水分が印刷層に侵入することを防止でき、印刷層の色落ち或いは退色を遅らせることができる。
【００１７】
第２の発明は、蓋体、蓋体の上面に形成される印刷層、印刷層の上面に形成されるかつ撥水性を有する被覆層、および被覆層の上面に配される滑り止め用の骨材を備える、桝またはマンホール用の蓋である。
【００１８】
第２の発明では、蓋（１０）は、蓋体（１２）を含み、桝およびマンホール等の地下構造物（５０）に用いられる。蓋体の上面には、インクジェットプリンタ（３０）を利用して印刷層（１４）が形成され、印刷層の上面には、撥水性を有する被覆層（１６）が形成される。また、被覆層（１６）の上面には、粒状の骨材（１８）が配される。骨材を被覆層の上面に配することにより、蓋体の上面に凹凸が形成されることになる。たとえば、その上面（１２ａ）に滑り止め用の凹凸が形成される蓋体を用いれば、蓋体自体が有する凹凸の上に、さらに凹凸が形成されることになり、滑り止め機能がより適切に発揮される。
【００１９】
第２の発明によれば、骨材によって蓋体の上面に凹凸が形成されるので、滑り止め機能を適切に発揮できる。
【００２０】
また、第１の発明と同様に、多彩なデザインを表現でき、その製造コストも低減できる。さらに、撥水性を有する被覆層を形成することによって、印刷層の色落ち等を軽減できる。
【００２１】
第３の発明は、第１または第２の発明に従属し、印刷層の下面には、撥水性を有する下地層がさらに形成される。
【００２２】
第３の発明では、蓋体（１２）の上面（１２ａ）には、撥水性を有する下地層（２２）を介して、印刷層（１４）が形成される。つまり、撥水性を有する下地層と被覆層（１６）とによって挟みこまれるように、印刷層が形成される。これにより、印刷層周囲への水の浸入が防止される。
【００２３】
蓋体と印刷層との間に水が浸入すると、その水が気化して体積が増加した場合に、印刷層に割れやクラックが発生してしまう恐れがあるが、第３の発明によれば、蓋体と印刷層との間への水の浸入を防止できるので、この不具合を防止できる。
【発明の効果】
【００２４】
この発明によれば、滑り止め機能を保持しつつ、多彩なデザインへの対応が可能であり、かつ色落ちが生じ難い、桝またはマンホール用の蓋を短期間で提供できる。また、その製造コストも低減できる。
【００２５】
この発明の上述の目的，その他の目的，特徴および利点は、図面を参照して行う以下の実施例の詳細な説明から一層明らかとなろう。
【図面の簡単な説明】
【００２６】
【図１】この発明の桝またはマンホール用の蓋の一実施例を示す平面図である。
【図２】図１の蓋の断面図であり、（Ａ）は蓋断面の全体の様子を示し、（Ｂ）は蓋断面の一部を拡大した様子を示す。
【図３】図１の蓋を地下構造物に設置した様子を示す概略断面図である。
【図４】この発明の桝またはマンホール用の蓋の他の実施例を示す平面図である。
【図５】図４の蓋の断面図であり、（Ａ）は蓋断面の全体の様子を示し、（Ｂ）は蓋断面の一部を拡大した様子を示す。
【図６】インクジェットプリンタの概略の構成を示す図解図である。
【図７】この発明の桝またはマンホール用の蓋のさらに他の実施例を示す断面図であり、（Ａ）は蓋全体の様子を示し、（Ｂ）は蓋の一部を拡大した様子を示す。
【発明を実施するための形態】
【００２７】
図１および図２を参照して、この発明の一実施例である蓋１０は、蓋体１２およびその上面１２ａに形成される印刷層１４を含む。蓋１０は、図３に示すように、雨水桝および汚水桝などの桝、ならびにマンホール等の地下構造物５０に用いられる蓋であって、その上面が地表面５２に露出する。
【００２８】
蓋体１２は、金型を用いて、硬質塩化ビニルなどの合成樹脂によって形成される汎用の蓋である。蓋体１２の形状は、適用される桝などの開口部の形状に応じて適宜設定され、平面視で円形や方形などに形成される適宜な形状を含む。蓋体１２の径は、たとえば７５ｍｍ−６００ｍｍであり、望ましくは７５ｍｍ−２００ｍｍである。また、蓋体１２の高さは、たとえば１０ｍｍ−３５０ｍｍであり、望ましくは１０ｍｍ−５０ｍｍである。また、蓋体１２の上面１２ａには、凹凸が形成されており、この凹凸によって滑り止め効果が発揮される。上面１２ａの凹凸の高さは、たとえば０．５ｍｍ−１０ｍｍであり、望ましくは１．０ｍｍ−３．０ｍｍである。凹凸の高さが高すぎると、後述する印刷層１４の形成に支障があり、低すぎると滑り止め効果が損なわれるが、このような範囲内の凹凸の高さを採用することによって、印刷層１４を適切に形成できると共に、滑り止め効果が適切に発揮される。また、上面１２ａの凹凸のパターンは、滑り止め効果を適切に発揮できるように設定されたり、所定のデザインを表現するように設定されたりする、従来の標準的なものを利用することができ、図１などに示すパターンに限定されない。
【００２９】
印刷層１４は、詳細は後述する、ＵＶ（紫外線）硬化型のインクを使用するインクジェットプリンタ３０を用いることによって、蓋体１２の上面１２ａに形成される。つまり、印刷層１４は、ＵＶ硬化型のインクによって形成され、フルカラーで多彩なデザインを表現する。なお、図１および図２では、印刷層１４は、蓋体１２の上面１２ａの全面に亘って形成されているが、図４および図５に示すように、上面１２ａの一部のみに形成することもできる。
【００３０】
また、印刷層１４の上面には、撥水性および透明性を有する被覆層１６が形成される。被覆層１６は、熱硬化型、ＵＶ硬化型および光硬化型などの材料によって形成され、印刷層１４の上面全体を薄膜状に覆う。被覆層１６の材料は、撥水性および透明性を有するように硬化するものであれば、特に限定されず、たとえば、ウレタンアクリレート樹脂、エポキシアクリレート樹脂、エポキシ化合物、オリゴエステルアクリレート樹脂、感光性ポリイミド、アミノアルキリド、フェノール樹脂、ユリア樹脂およびメラミン樹脂などを主成分として含有する材料を適宜選択して用いることができる。その中でも、特に、印刷層１４を形成するインクに含有されている成分を含む材料を用いることが好ましい。これにより、印刷層１４と被覆層１６との結着力（付着力）が向上するからである。この実施例では、アイカ工業株式会社から販売されている変性ポリウレタンアクリレート樹脂を３０−３５％、酢酸ブチルを３０−３５％、メチルエチルケトンを３５−４０％、および適宜の添加物を１−５％程度の割合で混合した材料によって、被覆層１６を形成した。
【００３１】
添加剤としては、たとえば、チバ・ジャパン株式会社から販売されているチヌビン（ベンゾトリアゾール系）などの紫外線吸収剤や、水溶性金属であるアルミナ等の光分散剤を用いることができる。これらの添加剤は単独で使用することもできるし、複数種類の添加剤を併せて使用することもできる。たとえばＵＶ硬化型のインクを用いて印刷層１４を形成する場合には、紫外線を受けることによってインクの退色やインク皮膜の劣化が生じてしまう。しかし、被覆層１６の添加物として紫外線吸収剤や光分散剤を用いることによって、被覆層１６で紫外線が吸収されたり、反射分散されたりするので、印刷層１４への紫外線の到達を防ぐことができ、紫外線による印刷層１４の退色や劣化を軽減できる。
【００３２】
なお、図４および図５に示すように、蓋体１２の上面１２ａの一部のみに印刷層１４が形成されている場合には、その印刷層１４の上面のみに被覆層１６を形成してもよいし、印刷層１４が形成されていない蓋体１２の上面１２ａの部位にも、被覆層１６を形成するようにしてもよい。たとえば、印刷層１４の大きさに関係なく、蓋体１２の上面１２ａ全体を覆うように被覆層１６を形成することもできる。
【００３３】
また、被覆層１６の上面には、粒状の骨材１８が配される。骨材１８としては、透明性に優れるセラミック、鉱物および合成樹脂などを用いることができる。骨材１８の粒径は、蓋体１２の上面１２ａの凹凸の高さや幅などに応じて適宜設定され、たとえば５０−３００μｍである。これらは、ほぼ単一径を有するものであってもよいし、異なる粒径範囲を有するものを混合したものであってもよい。この実施例では、粒径が１５０−２５０μｍのものを６５−８５％、粒径が７５−１５０μｍのものを１５−３５％の割合で混合した樹脂ビーズを用いた。
【００３４】
さらに、骨材１８が配された被覆層１６の上面には、その上面全体を薄膜状に覆う保護層２０が形成される。保護層２０は、耐摩耗性および耐久性など、つまり強度に優れ、かつ透明性を有するものであればよく、特に材質などは限定されない。この実施例では、変性ポリウレタンアクリレート樹脂を４５−５５％、アクリルモノマーを４０−４５％、および適宜の添加物を１−５％程度の割合で混合した材料によって、保護層２０を形成した。
【００３５】
以下に、インクジェットプリンタ３０（以下、単に「プリンタ３０」という。）の構成について簡単に説明する。図６に示すように、プリンタ３０は、コンピュータ３２、支持台３４、プリントヘッド３６およびＵＶランプ３８等を備える。
【００３６】
コンピュータ３２は、プリンタ３０の動作を制御する。たとえば、コンピュータ３２は、スキャナを用いて読み取った写真および印刷、ならびに画像処理ソフト等を用いて作成した画像などのデザイン情報を取得し、その取得したデザイン情報に基づいてプリントヘッド３６等を駆動制御する。
【００３７】
支持台３４は、蓋体１２が置かれる台である。支持台３４は、蓋体１２が位置ずれしないように、バキュームで吸引する等しながら、蓋体１２を支持する。
【００３８】
プリントヘッド３６は、支持台３４の上方に設けられ、ＵＶ硬化型のカラーインクを複数のノズル（図示せず）から噴出する。プリントヘッド３６は、コンピュータ３２からの指示に従い、支持台３４の上面と平行な任意の方向に移動し、第１ヘッドのノズルから所定のタイミングでカラーインクを噴出する。そして、蓋体１２の上面１２ａの所定部位にカラーインクを着弾させて、所望のデザインを描画する。
【００３９】
ＵＶランプ３８は、プリントヘッド３６の一方側部、或いは両側部に設けられ、プリントヘッド３６と一体となって移動し、コンピュータ３２からの指示に従って紫外線を照射する。
【００４０】
ただし、プリントヘッド３６の第１ヘッドとＵＶランプ３８とを一体として移動させるのではなく、これらをそれぞれ別々に移動させる構成を採用することもできる。また、プリントヘッド３６等を左右方向に移動させ、支持台３４の上部を前後方向に移動させることによって、プリントヘッド３６等を相対的に、支持台３４の上面と平行な任意の方向に移動させるようにしてもよい。
【００４１】
このようなプリンタ３０を用いて、蓋体１２の上面１２ａに印刷層１４を形成し、蓋１０を製造する方法を以下に説明する。
【００４２】
具体的には、先ず、蓋体１２の上面１２ａを上方に向けて、支持台３０上に蓋体１２を配置する。次に、蓋体１２の上面１２ａに対して、プリントヘッド３６の第１ヘッドから白インクを噴出させ、所望するデザインの形状に合わせて白インクによる裏打ちプリントを行う。この裏打ちプリントによって、透明あるいは有色の蓋体１２にも、フルカラーで美しくデザインを表現できる。続いて、プリントヘッド３６の第１ヘッドからカラーインクを噴出させ、蓋体１２の上面１２ａに所望するデザインを描画した後、ＵＶランプ３８により紫外線を照射する。これによって、カラーインクが固化し、印刷層１４が形成される。このように、プリンタ３０を用いることで、容易に、蓋体１２の上面１２ａにフルカラーのデザインを施すことができる。
【００４３】
続いて、印刷層１４の上面に対して、スプレーガン等を用いて被覆層１６を吹き付ける、或いは刷毛などを用いて被覆層１６を塗布する。そして、被覆層１６の上面に骨材１８を散布した後、被覆層１６に対して、所定の条件で熱照射、紫外線照射または光照射を行うことにより、被覆層１６を固化させると共に、骨材を固定する。最後に、骨材１８が配された被覆層１６の上面に対して、保護層２０を吹き付け或いは塗布し、適宜の手段で固化させることにより、蓋１０が作成される。なお、被覆層１６および保護層２０は、印刷層１４と同様に、プリンタ３０を用いて形成することもできる。
【００４４】
このように形成した印刷層１４、被覆層１６および保護層２０の厚さは、蓋体１２の上面１２ａに形成される凹凸の高さと比較して薄いので、上面１２ａの凹凸形状は、ほぼそのまま残る。また、骨材１８を被覆層１６の上面に配することにより、蓋体１２自体が有する凹凸の上にさらに凹凸が形成されることになる。
【００４５】
この実施例によれば、蓋体１２の上面１２ａに形成される凹凸による滑り止め機能を保持しつつ、フルカラーで多彩なデザインを表現できる。その上、骨材１８を設けることによって、さらに凹凸を形成することができるので、滑り止め効果を向上させることができる。したがって、蓋１０の上を歩行者および自転車などが通行しても、滑り止め効果が適切に発揮されて、歩行者などの転倒が防止され、安全が保たれる。
【００４６】
また、撥水性を有する被覆層１６を形成することによって、雨などの水分が印刷層１４に侵入することを防止でき、印刷層１４の色落ち或いは退色を遅らせることができる。さらに、保護層２０を形成することによって、耐摩耗性や耐久性が向上すると共に、骨材１８の剥がれ落ちを防止することができる。さらにまた、骨材１８として樹脂ビーズを用いることによって、紫外線が反射分散されるので、印刷層１４への紫外線の到達が防止され、紫外線による印刷層１４の退色や劣化を軽減できる、つまり耐光性を向上させることができる。
【００４７】
また、この実施例によれば、多彩なデザインを繊細に表現できるので、蓋１０を商業施設などで広告媒体として利用でき、蓋１０から各種の情報を発信することができる。逆に、たとえば、蓋１０が設置されるマンホール等の周囲の路面に合わせて、アスファルトやタイル模様などのデザインを採用することによって、蓋１０を周囲の景色に溶け込ませて、街並みの美観を保つことにも利用できる。また、路面の模様と同じにするのではなく、周囲の景色と調和した適宜なデザインを採用して、新たな街並みの美観を表現することもできる。
【００４８】
さらに、デザイン毎に専用の金型を製作する必要が無いので、金型製作に要する期間を必要とせず、短期間で製造できると共に、製造コストも低減できる。たとえば、滑り止め効果を発揮するのに最適な凹凸が形成された１種類の蓋体１２を採用し、それに所望する各種のデザインを印刷すればよい。また、蓋体１２に直接フルカラー印刷するので、蓋体１２以外の別部材が不要であり、製造に手間がかからず、製造コストも低減できる。
【００４９】
また、蓋１０の印刷層１４によるデザインを変更する必要が生じた場合には、蓋１０に印刷層１４などをさらに上書きして、新たなデザインを表現することもできる。また、蓋１０そのものを取り替えて、新たなデザインを表現してもよい。蓋体１２に使用される合成樹脂の重量と比較して、印刷層１４などに使用される材料の重量は僅かであるので、使用済みの蓋１０は、そのままリサイクルに利用することができるため、資源の無駄遣いとなることが無い。
【００５０】
なお、上述の実施例では、合成樹脂製の蓋体１２を採用したが、蓋体１２は、鋳鉄などの金属またはセラミック等によって形成することもできる。また、上述の実施例では、ＵＶ硬化型のインクを用いて印刷層１４を形成した。これは、ＵＶ硬化型のインクが、合成樹脂に対する付着性が高く、合成樹脂製の蓋体１２に対して直接印刷できるからであるが、印刷層１４の形成に用いるインクは、ＵＶ硬化型のインクに限定されず、水性型および溶剤型などの各種のインクを用いることもできる。
【００５１】
また、上述の実施例では、蓋体１２の表面１２ａに対して直接印刷層１４を形成したが、図７に示すように、下地層２２を介して印刷層１４を形成することもできる。つまり、蓋体１２の上面１２ａに下地層２２を形成した後、その上に印刷層１４および被覆層１６を形成することにより、印刷層１４を下地層２２と被覆層１６とによって挟み込むように形成することもできる。
【００５２】
下地層２２としては、撥水性を有するものが好ましく、たとえば、アクリルシリコン、エポキシおよびウレタン等の樹脂を用いて下地層２２を形成することができる。その中でも、特に、印刷層１４を形成するインクに含有されている成分を含む材料を用いることが好ましい。これにより、下地層２２と印刷層１４との結着力を向上させることができるからである。
【００５３】
また、下地層２２に撥水性を持たせることにより、蓋体１２の上面１２ａと印刷層１４との間に水が浸入することを防止できる。蓋体１２と印刷層１４との間に水が浸入し、その後太陽光が照射される等して、その水が気化して体積が増加すると、印刷層１４に膨れが生じて、印刷層１４に割れやクラックが発生してしまう恐れがあるが、下地層２２に撥水性を持たせることにより、この不具合を防止できる。もちろん、印刷層１４への水分の侵入による印刷層１４の色落ち等を遅らせることもできる。
【００５４】
なお、下地層２２を形成する際には、印刷層１４を形成する前に、その上面を荒らしておくとよい。たとえば、８０−４００番程度の粗さのサンドペーパを用いて研磨することによって、下地層２２の上面を荒らすとよい。具体的には、１２０番のサンドペーパを用いる場合、２ｋｇ重程度の圧力で数回、下地層２２の上面を擦ればよい。このように、下地層２２の上面、つまり印刷層１４との接触面を荒らしておくことによって、下地層２２と印刷層１４との結着力をさらに向上させることができる。
【００５５】
また、上述の各実施例では、蓋体１２として、上面１２ａに凹凸が形成されているものを用いたが、骨材１８を被覆層１６上に配する場合には、骨材１８によって滑り止め機能を発揮できるので、必ずしも上面１２ａに凹凸が形成された蓋体１２を用いる必要はなく、たとえば上面１２ａが平面状の蓋体１２を用いることもできる。
【符号の説明】
【００５６】
１０  …蓋
１２  …蓋体
１２ａ  …蓋体の上面
１４  …印刷層
１６  …被覆層
１８  …骨材
２０  …保護層
２２  …下地層
３０  …インクジェットプリンタ
【図１】
2010168731.tif 000003
【図２】
2010168731.tif 000004
【図３】
2010168731.tif 000005
【図４】
2010168731.tif 000006
【図５】
2010168731.tif 000007
【図６】
2010168731.tif 000008
【図７】
2010168731.tif 000009